【事件の表示】
　特願２００８−３２３１７６「緑色画素形成用感放射線性組成物、カラーフィルタおよびカラー液晶表示素子」拒絶査定不服審判事件〔平成２１年１０月　１日出願公開、特開２００９−２２３２８８、請求項の数（３）〕について、次のとおり審決する。
【結　論】
　原査定を取り消す。
　本願の発明は、特許すべきものとする。
【理　由】
第１　手続の経緯と本件発明
１　手続の経緯
　本願は、平成２０年１２月１９日（優先権主張平成２０年　２月２２日）の出願であって、平成２４年　８月２８日付けの拒絶理由通知に対して、同年１０月２４日に意見書及び手続補正書が提出されたが、平成２５年　４月　３日付けで拒絶査定され、これを不服として同年　６月２８日に審判請求がされるとともに手続補正書が提出されたものである。
　なお、平成２５年１０月　４日付けで、前置報告書の内容について意見を求める審尋が通知され、これに対して、同年１１月２６日に回答書が提出されている。
　
２　本件発明　
（１）平成２５年　６月２８日に提出された手続補正書による手続補正（以下「本件補正」という。）の内容
　本件補正は、特許請求の範囲を補正するものであり、平成２４年１０月２４日に提出した手続補正書により補正された（以下「本件補正前」という。）請求項２を独立形式にすると共に、本件補正前の請求項（以下「旧請求項」という。）１を削除し、旧請求項３及び４について、引用請求項及び項番を整理し、新たな請求項１〜３とする補正を行うものである。
　
（２)特許請求の範囲の請求項１〜３に係る発明
　本件補正後の請求項１〜３に係る発明（以下、請求項１〜３に係る発明をそれぞれ「本願発明１」〜「本願発明３」、請求項１〜３に係る発明をまとめて「本願発明」という。）は、次のとおりである。
　
　「【請求項１】
　（Ａ）着色剤、（Ｂ）アルカリ可溶性樹脂、（Ｃ）多官能性単量体、および（Ｄ）感放射線性重合開始剤を含有する緑色画素形成用感放射線性組成物であって、（Ａ）着色剤がＣ．Ｉ．ピグメントグリーン５８を含有するものであり、（Ｂ）アルカリ可溶性樹脂が、１個以上のカルボキシル基を有するエチレン性不飽和単量体と、該エチレン性不飽和単量体以外の共重合可能なエチレン性不飽和単量体との共重合体であり、かつ（Ｄ）感放射線性重合開始剤が、下記式（１）で表される化合物とアセトフェノン系化合物、ビイミダゾール系化合物およびＯ−アシルオキシム系化合物よりなる群から選ばれる少なくとも１種の化合物とを含有するものである緑色画素形成用感放射線性組成物。
　　【化１】
（式中、Ｒ１〜Ｒ４は、相互に独立に水素原子、炭素数１〜１８のアルキル基又は炭素数１〜１８のアルコキシ基を示す。）
　　【請求項２】
　請求項１記載の感放射線性組成物を用いて形成された画素を備えてなるカラーフィルタ。
　　【請求項３】
　請求項２記載のカラーフィルタを具備するカラー液晶表示素子。」
　
第２　原査定の拒絶の理由について
（１）原査定の拒絶の理由
　原査定の拒絶の理由は、「この出願の請求項１〜４に係る発明は、その出願前に日本国内又は外国において頒布された下記の刊行物（１）及び（２）に記載された発明に基いて、その出願前にその発明の属する技術の分野における通常の知識を有する者が容易に発明をすることができたものであるから、特許法第２９条第２項の規定により特許を受けることができない。」というものである。
　なお、前置報告書において、更に、周知例を挙げ、「補正後発明１は、原査定の拒絶の理由において引用した引用例（１）及び（２）並びに上記周知例に記載された発明に基づいて当業者が容易に発明することができたものであり、特許法第２９条第２項の規定により、特許出願の際独立して特許を受けることができない。」旨の報告がなされている。
　
（２）原査定等で引用された刊行物の表示
　　ア　原査定の拒絶の理由に引用された引用例１、２
　　　　・引用例１：特開平４−３５５４５１号公報
　　　　・引用例２：特開２００７−２８４５８９号公報
　
　　イ　前置報告書で周知技術を示すために引用された刊行物
　　　　・引用例３：特開２００１−３５６２１０号公報
　
（３）引用例１〜３の記載事項
　　ア　引用例１の記載事項
　原査定の拒絶の理由に引用された、引用例１には、「カラーフィルター用光重合組成物」（発明の名称）に関して、次の記載がある。（なお、下線は当審で付したものである。以下、同様。）
　　（引１ア）「【０００７】
【発明が解決しようとする課題】カラーフィルターを作製する際、工程が簡略で耐光性、耐熱性に優れ、解像性が良好なカラーフィルター用光重合組成物の開発が望まれている。」
　
　　（引１イ）「【０００８】
【課題を解決するための手段】本発明者らは、前記した様な工程が簡略で耐光性、耐熱性に優れ、解像性が良好なカラーフィルターの作製方法を見出すべく鋭意努力した結果、特定の着色光重合性組成物が前記の様な特性を満たす事を見出し、本発明に至ったものである。
【０００９】
即ち、本発明は、
下記式（１）で表される化合物
【００１０】
【化５】
　
【００１１】
（式中Ｘは
【００１２】
【化６】
　
【００１３】
および
【００１４】
【化７】
　
【００１５】
を表し、Ｒ
１
、Ｒ
２
、Ｒ
３
はそれぞれＨ、又はＣＨ
３
を表し、Ａは脂式あるいは、環式炭化水素鎖を表し、ｎは１〜２０を表す。）及び、光重合開始剤として、下記式（２）で表される化合物
【００１６】
【化８】
　
【００１７】と場合によって
その他の光重合開始剤から成る感光性樹脂とチオキサントン系化合物、顔料、場合により光重合性および／または熱重合性化合物を含有することを特徴とするカラーフィルター用光重合組成物
（２）
光重合性化合物が少なくとも１官能以上のエチレン性不飽和二重結合をもつ化合物
（３）熱重合性化合物が少なくとも２官能以上のエポキシ基をもつ化合物である前項（１）に記載のカラーフィルター用光重合組成物。
（４）
その他の光重合開始剤として、ヘキサアリールビスイミダゾール系化合物および水素供与体をさらに含む
（５）水素供与体が芳香族メルカプタンである前項（４）に記載のカラーフィルター用光重合組成物。
（６）水素供与体がアミノ基を有する芳香族化合物である前項（４）に記載のカラーフィルター用光重合組成物。
（７）芳香族メルカプタンが２−メルカプトベンゾチアゾール、又は、２−メルカプトベンゾオキサゾールである前項（５）記載のカラーフィルター用光重合組成物。
を提供する。」
　
　　（引１ウ）「【００１８】本発明のカラーフィルター用光重合組成物をさらに詳しく説明する。式（１）で表される化合物は、所望のフェノールノボラック型、あるいはクレゾールノボラック型等のノボラック型エポキシ樹脂にアクリル酸又は、メタクリル酸を付加させる事により作られる。
側鎖のカルボン酸エステルは、エポキシ基にアクリル酸等を付加した際にできる水酸基に、例えば、マレイン酸無水物、フタル酸無水物、ヘキサヒドロフタル酸無水物、テトラヒドロフタル酸無水物等のジカルボン酸無水物を付加させる事により合成される。またこの樹脂は、水酸基に付加させる酸無水物のモル比を変える事により、所望の酸価にする事が可能である。
【００１９】この酸価の可変性は、ネガマスクを通じ紫外線により光硬化させ画像を形成した後に、未露光部をアルカリ水溶液で溶解して現像する際、その現像性を調節できると言う点で有用である。前記した特開平１−１５２４４９号、特開平１−２５４９１８号、特開平２−１５３３５３号、特開平２−８０４号では、
現像性を付与するアルカリ水溶液可溶性樹脂としてアクリル酸とアクリル酸エステルの共重合物を使用している。しかしながらこの系の樹脂は、光には全く関与しない樹脂であり、現像性を付与するためには、光重合性樹脂に対し、ほぼ同等量使用せざるを得なかった。この場合、全樹脂中の光重合に関与するエチレン性不飽和二重結合の密度が低くなり、おのずから感光性が低下し、空気中に暴露された状態ではアルカリ水溶液の現像液に溶解されない硬化部を形成することが困難であった
【００２０】しかしながら、
本発明による式（１）で表される化合物は、光重合に関与する（メタ）アクリレート基と、現像性を付与するカルボキシル基を保有しているため、前記の様な現像性のみを付与する樹脂を含有させる必要がなく、全樹脂中の光重合に関与するエチレン性不飽和二重結合の密度が低下せず、感光性が高い光重合性組成物を形成することが可能である
空気中に暴露された酸素影響下でもアルカリ水溶液の現像液に溶解されない充分な硬化部を形成する事が可能
　
　　（引１エ）「【００２１】本発明においては、さらに
１官能以上のエチレン性不飽和二重結合を持つ化合物を使用する事が可能である。これらの化合物は、水溶性基を保有しない化合物であって、現像性の調節あるいは多官能の化合物の場合は、全樹脂中の光重合に関与するエチレン性不飽和二重結合の密度を上げ高感度化する目的で使用される
これらの化合物は前記式（１）で表される化合物に対し、０．１〜７０重量％範囲内で使用される。
【００２２】
そのような化合物の例としては
ジペンタエリスリトールヘキサアクリレート
【００２３】・・（略）・・
【００２４】・・（略）・・基を主鎖に有するポリエステル；シンナミリデン基を、側鎖又は末端に有するポリマーなど通常の光重合性樹脂が挙げられる。」
　
　　（引１オ）「【００２８】本発明で使用される
光重合開始剤としては、前記式（２）で表される化合物と、チオキサントン系化合物との組合せが最も良好である
１）　光重合開始剤がラジカルを発生するのに必要な紫外光が顔料に吸収されてしまい、充分にラジカルを発生できない。
２）　ＰＶＡの様な酸素遮断膜を使用しない系では、ラジカルが酸素に補足されてしまい、充分に光重合が達せられない。
と言う問題点を持っている。
【００２９】前記
式（２）で表される化合物とチオキサントン系光重合開始剤の組み合せが光硬化性および経済性の面で極めて良好であった。チオキサントン系化合物の具体的な例として
２，４−ジエチルチオキサントン
２，４−ジメチルチオキサントン
などが挙げられる
【００３０】又、本発明においては、
光重合開始剤としてヘキサアリールビスイミダゾール系化合物及び、水素供与体を前記組み合せにさらに加えても良い。ヘキサアリールビスイミダゾール系化合物の例は
２，２´−ビス−（ｏ−クロルフェニル）−４，４´，５，５´−テトラフェニルビスイミダゾリル
　
　　（引１カ）「【００３４】などが挙げられこれらは光重合性化合物に対し、０．５〜１０重量％の範囲内で使用するのが望ましい。
本発明で使用する顔料は、
緑の顔料としては、ハロゲン化フタロシアニンが好ましい例としてあげられ、これらは単独で用いるか、あるいは他の顔料を加えて調色しても構わない
【００３５】本発明の
カラーフィルター用光重合性組成物は、式（１）で表される化合物、式（２）で表される化合物、チオキサントン系化合物、場合によって光重合性および／または熱重合性化合物を前記した割合で混合することによってえられる
　
　　（引１キ）「【００３７】以下実施例により本発明を更に具体的に説明する。
【実施例】
【００３８】実施例１．次の組成より成る感光性樹脂組成物を調製した。
【００３９】
　　日本化薬製　　カヤラッド　　Ｒ５０５６　　　　　３１．５ｇ
【００４０】
【化１１】
　
【００４１】（Ｘは
【００４２】
【化１２】
　
【００４３】および
【００４４】
【化１３】
　
【００４５】であって（ａ）と（ｂ）の比率が２：１を表す。）
　　日本化薬製　　カヤラッド　　Ｒ２０９９　　　　　　６．７５ｇ
（式（９）においてＸが前記（ｂ）および下記（ｃ）
【００４６】
【化１４】
　
【００４７】であって、（ａ）と（ｂ）の比率が１：１を表す。）
　　
日本化薬製　　カヤラッドＤＰＨＡ
　　　（アクリル酸エステル系光重合性樹脂）
　　
２−ベンジル−２−ジメチルアミノ−１−（４−モルフオリノフェニル）−ブタノン
　　
２，４−ジエチルチオキサントン
　　エチルセロソルブアセテート　　　　　　　　　　１００ｇ
【００４８】上記感光性樹脂組成物におのおの加える、赤、緑、青、黒の顔料ペーストを以下の様に調製した。
【００４９】
　
【００５０】上記、各色顔料組成２０部に対し分散剤としてソルビタン脂肪酸エステル系化合物を４部加え、さらにエチルセロソルブアセテートを７６部加え、サンドミルにて分散化を行なった。ここで分散化した赤、緑、青、おのおのの顔料粒子の平均個数分布は２００ｎｍ以下であった。
この顔料ペーストを前記感光性樹脂組成物に対し、４０重量％を加え、さらにサンドミルにて処理した後、加圧濾過機にて１μのフィルターを通じ本発明のカラーフィルター用光重合性樹脂組成物を得た
【００５１】・・（略）・・
【００５４】実施例２、応用例２
下記の樹脂組成を用い実施例（１）と同様な方法でカラーフィルター用光重合組成物を調製し、応用例１と同様にカラーフィルターを作製した。
　日本化薬製　　カヤラット　　Ｒ５０５６　　　　　　　３１．５ｇ　　　日本化薬製　　カヤラット　　Ｒ２０９９　　　　　　　　６．７５ｇ　　
日本化薬製　　カヤラット　　ＤＰＨＡ
２−ベンジル−２−ジメチルアミノ−１−（４−モルフオリノフェニル）−ブタノン
２，４ジエナルチオキサントン
２，２´−ビス−（ｏ−クロルフェニル）−４，４´、５，５´−テトラフェニルビスイミダゾリル
２−メルカプトベンゾチアゾール
　
　　（引１ク）「【００７２】
比較例１
　下記樹脂組成を用い、実施例１と同様にカラーフィルター用光重合組成物を調製した。
　ベンジルメタクリレート・メタクリル酸共重合体(70/30モル比）　３０ｇ
　ペンタエリスリトールテトラメタクリレート　　　　　　　　　７．７ｇ
　４−〔Ｐ−Ｎ，Ｎ−ジ（エトキシカルボニルメチル）〕−２，６−ジ（トリクロロメチル）−Ｓ−トリアジン　　　　　　　　　　　　　　０．３ｇ
　エチルセロソルブアセテート　　　　　　　　　　　　　　　　　６２ｇ
　上記組成物を用い、応用例１と同様な方法でカラーフィルターを作製した所、光重合が不充分で現像時に画像がはがれ落ちてしまった。」
　
　上記（引１ア）〜（引１キ）によれば、引用例１には、次の発明（以下、「引用発明」という。）が記載されているといえる。
　「アクリル酸とアクリル酸エステルの共重合物を使用している現像性を付与するアルカリ水溶液可溶性樹脂は、光には全く関与しない樹脂であり、現像性を付与するためには、光重合性樹脂に対し、ほぼ同等量使用せざるを得なかったため、全樹脂中の光重合に関与するエチレン性不飽和二重結合の密度が低くなり、おのずから感光性が低下し、空気中に暴露された状態ではアルカリ水溶液の現像液に溶解されない硬化部を形成することが困難であったとの課題を解決するために、
　光重合に関与する（メタ）アクリレート基と、現像性を付与するカルボキシル基を保有している化合物を用いることで、前記の様な現像性のみを付与する樹脂を含有させる必要がなく、全樹脂中の光重合に関与するエチレン性不飽和二重結合の密度が低下せず、感光性が高い光重合性組成物を形成することが可能となり、空気中に暴露された酸素影響下でもアルカリ水溶液の現像液に溶解されない充分な硬化部を形成する事が可能となる化合物を用いたカラーフィルター用光重合組成物であって、
　下記式（１）で表される化合物
　
　（式中Ｘは
　
　および
　
を表し、Ｒ１、Ｒ２、Ｒ３はそれぞれＨ、又はＣＨ３を表し、Ａは脂式あるいは、環式炭化水素鎖を表し、ｎは１〜２０を表す。）及び、
　光重合開始剤として、下記式（２）で表される化合物
　
と、その他の光重合開始剤から成る感光性樹脂と２，４−ジエチルチオキサントン；２，４−ジメチルチオキサントン等のチオキサントン系化合物、顔料、光重合性および／または熱重合性化合物を含有し、
　前記光重合性化合物がエチルアクリレート、ジペンタエリスリトールヘキサアクリレートのような１価又は多価アルコールのアクリル酸又はメタアクリル酸のエステル類等、少なくとも１官能以上のエチレン性不飽和二重結合をもつ化合物であり、
　前記その他の光重合開始剤として、２，２´−ビス−（ｏ−クロルフェニル）−４，４´，５，５´−テトラフェニルビスイミダゾリル等のヘキサアリールビスイミダゾール系化合物および水素供与体をさらに含み、
　前記顔料において、緑の顔料としては、ハロゲン化フタロシアニンを単独で用いるか、あるいは他の顔料を加えて調色したものを用いるカラーフィルター用光重合組成物」
　
　　イ　引用例２の記載事項
　原査定の拒絶の理由に引用された引用例２には、「ポリハロゲン化亜鉛フタロシアニン顔料組成物及びカラーフィルタ」（発明の名称）に関して、次の記載がある。
　
　　（引２ア）「【特許請求の範囲】
【請求項１】
ポリハロゲン化亜鉛フタロシアニン顔料を含有し、
（１）塩素原子と臭素原子の和が１６である下記一般式１のポリハロゲン化亜鉛フタロシアニン顔料７２モル％以上、
（２）塩素原子と臭素原子の和が１４〜１５である下記一般式１のポリハロゲン化亜鉛フタロシアニン顔料２６モル％以下、かつ
（３）塩素原子と臭素原子の和が１３以下である下記一般式１のポリハロゲン化亜鉛フタロシアニン顔料２モル％以下、
から構成されていることを特徴とする
ポリハロゲン化亜鉛フタロシアニン顔料組成物
【化１】
　
（上記一般式１中、Ｘ１〜Ｘ１６は、いずれも独立に塩素原子、臭素原子または水素原子である。）」
　
　　（引２イ）「【発明の詳細な説明】
【技術分野】
【０００１】
　本発明は、着色力に優れ色再現域の広いポリハロゲン化亜鉛フタロシアニン顔料組成物及びそれを緑色画素部に含有する輝度が高く理想的により近いＲＧＢ色再現域を達成出来るカラーフィルタに関する。
【背景技術】
【０００２】
　ポリハロゲン化金属フタロシアニン顔料としては、ポリハロゲン化銅フタロシアニン顔料を始めとして、それ以外のポリハロゲン化異種金属フタロシアニン顔料が知られている。中でも、ポリハロゲン化亜鉛フタロシアニン顔料は、ポリハロゲン化アルミニウムフタロシアニンダイマー顔料の様な、それ以外のポリハロゲン化異種金属フタロシアニン顔料に無い特異的な性質を示す。
【０００３】
　具体的には、このポリハロゲン化亜鉛フタロシアニン顔料を液晶表示装置のカラーフィルタの緑色画素部への適用が知られている。この
ポリハロゲン化亜鉛フタロシアニン顔料を含有する緑色画素部は、当該顔料の一次粒子の平均粒子径が大きくても、Ｔ
ｍａｘ
が従来のポリハロゲン化銅フタロシアニン顔料を含有する緑色画素部に比べ高波長側にあり、しかも分光透過スペクトルの曲線をＴ
ｍａｘ
における透過率の１／２の透過率で内挿した際の曲線上の２点間の距離（半値幅）が９０〜１１０ｎｍと非常にシャープであるので、高色純度であって、黄色顔料と混色した場合においても緑色領域の光透過量も多くなり、明るい画面が得られ、映像のコントラストが良く、高色純度カラーフィルタに好適に使用できる
【０００４】
　しかしながら、これら優れたポリハロゲン化亜鉛フタロシアニン顔料にあっても、着色力が不充分であり、色相が青味すぎるという欠点があり、例えば、この様な従来のポリハロゲン化亜鉛フタロシアニン顔料を緑色画素部に含有するカラーフィルタを含む液晶表示装置は、輝度も色再現性が不充分であり、更に高水準の輝度と、より理想的に近いＲＧＢ色再現性を達成することが期待されている。」
　
　　（引２ウ）「【００６３】
　本発明のポリハロゲン化亜鉛フタロシアニン顔料組成物は、公知の方法でカラーフィルタの緑色画素部のパターンの形成に用いることが出来る。典型的には、本発明の
ポリハロゲン化亜鉛フタロシアニン顔料組成物と、感光性樹脂とを必須成分して含むカラーフィルタ緑色画素部用感光性組成物
【００６４】・・（略）・・
【００６６】
　
カラーフィルタ緑色画素部用感光性組成物を調製するには
ポリハロゲン化亜鉛フタロシアニン顔料組成物と、感光性樹脂と、光重合開始剤と、前記樹脂を溶解する有機溶剤とを必須成分として混合する
【００６７】・・（略）・・
【００７１】
　この際に
使用可能な感光性樹脂としては、例えば・・（略）・・熱可塑性樹脂や、例えば・・（略）・・のような２官能モノマー、・・（略）・・、ジペンタエリスリトールヘキサアクリレート、・・（略）・・のような多官能モノマー等の光重合性モノマーが挙げられる
【００７２】
　
光重合開始剤
アセトフェノン、ベンゾフェノン
２−クロロチオキサントン
【００７３】
　こうして調製されたカラーフィルタ緑色画素部用感光性組成物は、
フォトマスクを介して紫外線によるパターン露光を行った後、未露光部分を有機溶剤やアルカリ水等で洗浄することによりカラーフィルタとなすことができる
　
　上記（引２ア）〜（引２ウ）によれば、引用例２には、次の技術事項が記載されているといえる。
　「ポリハロゲン化亜鉛フタロシアニン顔料組成物と、感光性樹脂と、光重合開始剤と、前記樹脂を溶解する有機溶剤とを必須成分として混合したカラーフィルタ緑色画素部用感光性組成物であって、
　前記感光性樹脂としては、熱可塑性樹脂、２官能モノマー、ジペンタエリスリトールヘキサアクリレートのような多官能モノマー等の光重合性モノマーが挙げられ、
　前記光重合開始剤としては、アセトフェノン、ベンゾフェノン、２−クロロチオキサントン等があり、
　フォトマスクを介して紫外線によるパターン露光を行った後、未露光部分を有機溶剤やアルカリ水等で洗浄することによりカラーフィルタとなすことができるカラーフィルタ緑色画素部用感光性組成物」
　
　　ウ　引用例３の記載事項
　前置報告で引用された、引用例３には、「カラーフィルタ用感放射線性組成物およびカラーフィルタ」（発明の名称）に関して、次の記載がある。
　
　　（引３ア）「【特許請求の範囲】
【請求項１】
（イ）顔料を含む着色剤、（ロ）アルカリ可溶性樹脂、（ハ）四官能以上の多官能性モノマー、（ニ）光重合開始剤および（ホ）溶剤を含有
カラーフィルタ用感放射線性組成物
【請求項２】
成分（イ）中の顔料が緑色顔料
【請求項３】成分（イ）中の緑色顔料が、場合によりＣ．Ｉ．ピグメントイエロー８３、Ｃ．Ｉ．ピグメントイエロー１３８およびＣ．Ｉ．ピグメントイエロー１５０の群から選ばれる少なくとも１種と混合された、
Ｃ．Ｉ．ピグメントグリーン７およびＣ．Ｉ．ピグメントグリーン３６の群から選ばれる少なくとも１種
　
　　（引３イ）「【００２３】
（ロ）アルカリ可溶性樹脂
本発明におけるアルカリ可溶性樹脂としては、（イ）着色剤に対してバインダーとして作用し、かつカラーフィルタ製造時の現像処理工程において用いられるアルカリ現像液に可溶性である限り、適宜のポリマーを使用することができる。このようなアルカリ可溶性樹脂としては、例えば、カルボキシル基、フェノール性水酸基等の酸性官能基を含有する樹脂を挙げることができる。アルカリ可溶性樹脂のうち、カルボキシル基含有アルカリ可溶性樹脂としては、例えば、１個以上のカルボキシル基を有するエチレン性不飽和モノマー（以下、単に「カルボキシル基含有不飽和モノマー」という。）の（共）重合体を挙げることができ、前記カルボキシル基含有不飽和モノマーの（共）重合体としては、特に
カルボキシル基含有不飽和モノマーと他の共重合可能なエチレン性不飽和モノマー（以下、単に「他の不飽和モノマー」という。）とからなるモノマー混合物の共重合体（以下、「カルボキシル基含有共重合体（Ｉ）」
【００２４】前記カルボキシル基含有不飽和モノマーとしては、例えば、アクリル酸、メタクリル酸、クロトン酸、α−クロルアクリル酸、けい皮酸等の不飽和モノカルボン酸類；マレイン酸、無水マレイン酸、フマル酸、イタコン酸、無水イタコン酸、シトラコン酸、無水シトラコン酸、メサコン酸等の不飽和ジカルボン酸（無水物）類；３価以上の不飽和多価カルボン酸（無水物）類；・・（略）・・これらのカルボキシル基含有不飽和モノマーのうち、こはく酸モノ（２−アクリロイルオキシエチル）およびフタル酸モノ（２−アクリロイルオキシエチル）は、それぞれＭ−５３００およびＭ−５４００の商品名（東亜合成（株）製）で市販されている。前記カルボキシル基含有不飽和モノマーは、単独でまたは２種以上を混合して使用することができる。
【００２５】また、他の不飽和モノマーとしては、例えば、スチレン、・・（略）・・」
　
　　（引３ウ）「【００４４】
（ニ）光重合開始剤
本発明における光重合開始剤は、可視光線、紫外線、遠紫外線、電子線、Ｘ線等の露光により、前記（ハ）多官能性モノマーおよび場合により使用される単官能性モノマーの重合を開始しうる活性種を発生することができる化合物からなる。このような
光重合開始剤としては
ビイミダゾール系化合物、ベンゾイン系化合物、アセトフェノン系化合物、ベンゾフェノン系化合物、α−ジケトン系化合物、多核キノン系化合物、キサントン系化合物、ジアゾ系化合物、トリアジン系化合物等を挙げることができる
【００４５】・・（略）・・
【００４９】本発明において、
光重合開始剤は、単独でまたは２種以上を混合して使用することができる
　
　　（引３エ）「【００６５】以下、実施例を挙げて、本発明の実施の形態をさらに具体的に説明する。但し、本発明は、これらの実施例に何ら制約されるものではない。ここで、部は重量基準である。
【実施例】実施例および比較例
〈顔料分散ペーストの調製〉下記に示す顔料、顔料分散剤、銅フタロシアニン系顔料分散助剤および溶剤を調合し、サンドミルにて分散化処理を行って、
本発明のカラーフィルタ用着色感放射線性組成物に使用される赤色、緑色および青色の各顔料分散ペーストを調製した
【００６６】・・（略）・・
【００６７】
緑色顔料分散ペースト
・顔料（部）
Ｃ．Ｉ．ピグメントグリーン３６　(１０)
Ｃ．Ｉ．ピグメントイエロー１５０(　２)
・顔料分散剤（部）
ＢＹＫ−１７０ (　４)
・銅フタロシアニン系顔料分散助剤（部）
Solsperse 12000 (　１)
・溶剤（部）
３−エトキシプロピオン酸エチル(６０)
【００６８】青色顔料分散ペースト・・（略）・・
【００６９】・・（略）・・
【００７０】〈
樹脂組成物の調製〉前記顔料分散ペーストとは別に、下記の成分を混合して、着色剤を含有しない樹脂組成物を調製した
（
ロ）アルカリ可溶性樹脂
　・　メタクリル酸／２−ヒドロキシエチルメタクリレート／ベンジルメタ　クリレート共重合体（共重合重量比＝１５／１５／７０）、Ｍｗ＝２８，　０００）　　　　　　　　　　　　　　　　　　　　　　　　　６０部
（ハ）多官能モノマー
　・　ジペンタエリスリトールヘキサアクリレート　　　　　　　６０部
（ニ）光重合開始剤
　・　１−（４−モルフォリノフェニル）−２−ベンジル−２−ジメチルア　ミノブタン−１−オン　　　　　　　　　　　　　　　　　　　３０部
（ホ）溶剤
　・　３−エトキシプロピオン酸エチル　　　　　　　　　　　８００部
　・　シクロヘキサノン　　　　　　　　　　　　　　　　　　２００部
【００７１】
〈画素用感放射線性組成物の調製〉次いで、前記で得た緑色の各顔料分散ペースト１００部と前記樹脂組成物１００部とを、ウエーブローターにて２時間混合したのち、孔径０．５μｍのフィルターでろ過して、本発明における緑色画素用感放射線性組成物
　
　上記（引３ア）〜（引３ウ）によれば、引用例３には、次の技術事項が記載されているといえる。
　「（ロ）アルカリ可溶性樹脂、（ハ）多官能モノマー、（ニ）光重合開始剤、及び（ホ）溶剤からなる樹脂組成物と、
　（イ）顔料を含む着色剤として、Ｃ．Ｉ．ピグメントグリーン７およびＣ．Ｉ．ピグメントグリーン３６の群から選ばれる少なくとも１種を含有する緑色の顔料分散ペーストとを、
　混合・ろ過して、調整した緑色画素用感放射線性組成物において、
　前記（ロ）アルカリ可溶性樹脂を、カルボキシル基含有不飽和モノマーと他の共重合可能なエチレン性不飽和モノマー（以下、単に「他の不飽和モノマー」という。）とからなるモノマー混合物の共重合体とし、
　ビイミダゾール系化合物、ベンゾイン系化合物、アセトフェノン系化合物、ベンゾフェノン系化合物、α−ジケトン系化合物、多核キノン系化合物、キサントン系化合物、ジアゾ系化合物、トリアジン系化合物等を単独でまたは２種以上を混合して光重合開始剤として用いた、
緑色画素用感放射線性組成物」
　
（４）本願発明１について
　　ア　本願発明１と引用発明との対比
　　（ア）引用発明の「顔料」と「緑の顔料」、「式（１）で表される化合物」、「光重合性化合物」、「光重合開始剤」、及び、「緑の顔料」を含有した「カラーフィルター用光重合組成物」は、本願発明１の「（Ａ）着色剤」、「（Ｂ）アルカリ可溶性樹脂」、「（Ｃ）多官能性単量体」、「（Ｄ）感放射線性重合開始剤」、及び、「緑色画素形成用感放射線性組成物」に相当する。
　　（イ）引用発明の「顔料において、緑の顔料としては、ハロゲン化フタロシアニンを単独で用いるか、あるいは他の顔料を加えて調色したもの」と、本願発明１の「（Ａ）着色剤がＣ．Ｉ．ピグメントグリーン５８を含有するもの」とは、「（Ａ）着色剤がハロゲン化フタロシアニンを含有するもの」である点で一致する。
　　（ウ）引用例１の記載事項（引１ウ）から、引用発明の「式（１）で表される化合物」と、本願発明１の「（Ｂ）アルカリ可溶性樹脂が、１個以上のカルボキシル基を有するエチレン性不飽和単量体と、該エチレン性不飽和単量体以外の共重合可能なエチレン性不飽和単量体との共重合体であり」とは、「（Ｂ）アルカリ可溶性樹脂」である点で一致する。
　　（エ）引用発明の「チオキサントン系化合物」である「２，４−ジエチルチオキサントン；２，４−ジメチルチオキサントン」は、本願発明１の式（１）において、Ｒ１及びＲ３がエチル基又はメチル基、Ｒ２及びＲ４が水素原子、或いはＲ２及びＲ４が、エチル基又はメチル基、Ｒ１及びＲ３が水素である化合物であり、また、本願の出願当初明細書の【００３９】で「式（１）で表されるチオキサントン系化合物の具体例」として列挙されている化合物に同一の化合物が挙げられているから、引用発明の「２，４−ジエチルチオキサントン；２，４−ジメチルチオキサントン等のチオキサントン系化合物」は、本願発明１の「式（１）で表される
　
（式中、Ｒ１〜Ｒ４は、相互に独立に水素原子、炭素数１〜１８のアルキル基又は炭素数１〜１８のアルコキシ基を示す。）」に相当する。
　　（オ）引用発明の「下記式（２）で表される化合物
　
」は、引用例１の記載事項（引１キ）で摘記した実施例１、２において用いられている「２−ベンジル−２−ジメチルアミノ−１−（４−モルフオリノフェニル）−ブタノン」であり、これは、本願の出願当初明細書の「【００４３】本発明における好ましい他の感放射線性重合開始剤のうち、アセトフェノン系化合物の具体例としては、・・（略）・・これらのアセトフェノン系化合物のうち、特に、・・（略）・・２−ベンジル−２−ジメチルアミノ−１−（４−モルフォリノフェニル）ブタン−１−オン、・・（略）・・等が好ましい」として列記されているアセトフェノン系化合物のうち、特に好ましい例としての「２−ベンジル−２−ジメチルアミノ−１−（４−モルフォリノフェニル）ブタン−１−オン」に相当するから、引用発明の「下記式（２）で表される化合物
　
」は、本願発明１における「アセトフェノン系化合物」に相当する。
　　（カ）引用発明の「２，２´−ビス−（ｏ−クロルフェニル）−４，４´，５，５´−テトラフェニルビスイミダゾリル」は、本願の出願当初明細書の【００４４】に列挙されたビイミダゾール系化合物の具体例の中で、特に好ましい化合物として【００４５】に「これらのビイミダゾール系化合物のうち、・・（略）・・が好ましく、特に、２，２’−ビス（２−クロロフェニル）−４，４’，５，５’−テトラフェニル−１，２’−ビイミダゾールが好ましい。・・（略）・・」として、挙げられた「２，２’−ビス（２−クロロフェニル）−４，４’，５，５’−テトラフェニル−１，２’−ビイミダゾール」と同じ化合物であり、引用発明の「その他の光重合開始剤として」の、「２，２´−ビス−（ｏ−クロルフェニル）−４，４´，５，５´−テトラフェニルビスイミダゾリル等のヘキサアリールビスイミダゾール系化合物」は、本願発明１の「ビイミダゾール系化合物」に相当する。
　　（キ）上記（エ）〜（カ）から、引用発明の「下記式（２）で表される化合物
　
と、その他の光重合開始剤から成る感光性樹脂と２，４−ジエチルチオキサントン；２，４−ジメチルチオキサントン等のチオキサントン系化合物、顔料、光重合性および／または熱重合性化合物を含有し、前記光重合性化合物がエチルアクリレート、ジペンタエリスリトールヘキサアクリレートのような１価又は多価アルコールのアクリル酸又はメタアクリル酸のエステル類等、少なくとも１官能以上のエチレン性不飽和二重結合をもつ化合物であり、前記その他の光重合開始剤として、２，２´−ビス−（ｏ−クロルフェニル）−４，４´，５，５´−テトラフェニルビスイミダゾリル等のヘキサアリールビスイミダゾール系化合物および水素供与体をさらに含」む「光重合開始剤」は、本願発明１の「Ｄ）感放射線性重合開始剤が、下記式（１）で表される化合物とアセトフェノン系化合物、ビイミダゾール系化合物およびＯ−アシルオキシム系化合物よりなる群から選ばれる少なくとも１種の化合物とを含有するもの
　
（式中、Ｒ１〜Ｒ４は、相互に独立に水素原子、炭素数１〜１８のアルキル基又は炭素数１〜１８のアルコキシ基を示す。）」に相当する。
　
　　イ　一致点及び相違点
　上記「ア（ア）」〜「ア（キ）」から、本願発明１と引用発明の一致点と相違点は、次のとおりとなる。
　
　　（ア）　一致点
　「（Ａ）着色剤、（Ｂ）アルカリ可溶性樹脂、（Ｃ）多官能性単量体、および（Ｄ）感放射線性重合開始剤を含有する緑色画素形成用感放射線性組成物であって、（Ａ）着色剤がハロゲン化フタロシアニンを含有するものであり、（Ｂ）アルカリ可溶性樹脂が、１個以上のカルボキシル基を有するエチレン性不飽和単量体と、該エチレン性不飽和単量体以外の共重合可能なエチレン性不飽和単量体との共重合体であり、かつ（Ｄ）感放射線性重合開始剤が、下記式（１）で表される化合物とアセトフェノン系化合物、ビイミダゾール系化合物およびＯ−アシルオキシム系化合物よりなる群から選ばれる少なくとも１種の化合物とを含有するものである緑色画素形成用感放射線性組成物。
　
（式中、Ｒ１〜Ｒ４は、相互に独立に水素原子、炭素数１〜１８のアルキル基又は炭素数１〜１８のアルコキシ基を示す。）」
　
　　（イ）　相違点
　　　ａ　相違点１
　緑色のハロゲン化フタロシアニンを含有する「着色剤」が、本願発明１は、「Ｃ．Ｉ．ピグメントグリーン５８を含有するもの」であるのに対して、引用発明には、そのような特定がなされていない点。
　　　ｂ　相違点２
　「アルカリ可溶性樹脂」が、本願発明１は、「１個以上のカルボキシル基を有するエチレン性不飽和単量体と、該エチレン性不飽和単量体以外の共重合可能なエチレン性不飽和単量体との共重合体」であるのに対して、引用発明は、そのような共重合体ではない点。
　
　　ウ　相違点についての判断
　　（ア）相違点２について
　　　ａ　引用発明は、「アクリル酸とアクリル酸エステルの共重合物を使用している現像性を付与するアルカリ水溶液可溶性樹脂は、光には全く関与しない樹脂であり、現像性を付与するためには、光重合性樹脂に対し、ほぼ同等量使用せざるを得なかったため、全樹脂中の光重合に関与するエチレン性不飽和二重結合の密度が低くなり、おのずから感光性が低下し、空気中に暴露された状態ではアルカリ水溶液の現像液に溶解されない硬化部を形成することが困難であったとの課題を解決するため」に、式（１）で表される化合物を採用した発明であり、上記「アクリル酸とアクリル酸エステルの共重合物」は、本願発明１の「１個以上のカルボキシル基を有するエチレン性不飽和単量体と、該エチレン性不飽和単量体以外の共重合可能なエチレン性不飽和単量体との共重合体」に相当するものである。
　したがって、引用発明は、本願発明１の「アルカリ可溶性樹脂」に関する発明特定事項が有している課題を解決しようとするものであるから、引用発明において、当該本願発明１の相違点２に係る発明特定事項を採用することには阻害要因がある。
　　　ｂ　引用例１の記載事項（引１ク）には、比較例１として、「アクリル酸とアクリル酸エステルの共重合物」の一種である「ベンジルメタクリレート・メタクリル酸共重合体」を用いた例が挙げられており、他に、「ペンタエリスリトールテトラメタクリレート」、「４−〔Ｐ−Ｎ，Ｎ−ジ（エトキシカルボニルメチル）〕−２，６−ジ（トリクロロメチル）−Ｓ−トリアジン」及び「エチルセロソルブアセテート」が含有されているのみであり、本願発明１の「式（１）で表される化合物とアセトフェノン系化合物、ビイミダゾール系化合物およびＯ−アシルオキシム系化合物よりなる群から選ばれる少なくとも１種の化合物とを含有する」「感放射線性重合開始剤」を用いてもいない。
　　　ｃ　また、引用例２は、有機溶剤で洗浄する実施例が記載されているのみであり、アルカリ水で洗浄することが【００７３】に記載されているものの、具体的なアルカリ可溶性樹脂については説明されておらず、引用例３には、「アルカリ可溶性樹脂を、カルボキシル基含有不飽和モノマーと他の共重合可能なエチレン性不飽和モノマー（以下、単に「他の不飽和モノマー」という。）とからなるモノマー混合物の共重合体」とすることが記載されているものの、そのような「アルカリ可溶性樹脂」と共に用いる「光重合開始剤」として、「ビイミダゾール系化合物、ベンゾイン系化合物、アセトフェノン系化合物、ベンゾフェノン系化合物、α−ジケトン系化合物、多核キノン系化合物、キサントン系化合物、ジアゾ系化合物、トリアジン系化合物等を単独でまたは２種以上を混合して」用いることが説明されているにすぎず、その実施例を参酌しても、本願発明の「式（１）で表される化合物とアセトフェノン系化合物、ビイミダゾール系化合物およびＯ−アシルオキシム系化合物よりなる群から選ばれる少なくとも１種の化合物とを含有する」化合物の特定の組み合わせに関しては、説明も実施例も記載されていない。
　　　ｄ　更に、引用例１〜３のいずれにも、本願発明の「
ポリハロゲン化亜鉛フタロシアニン顔料を含有する顔料組成物は、分散安定性が悪いため異物を発生しやすく、量産適用することが困難であった
　　　ｅ　してみると、引用例１及び引用例３に記載されているように「アルカリ可溶性樹脂」を「１個以上のカルボキシル基を有するエチレン性不飽和単量体と、該エチレン性不飽和単量体以外の共重合可能なエチレン性不飽和単量体との共重合体」とする事自体が、周知であったとしても、そのような周知の「アルカリ可溶性樹脂」が有する課題を解決しようとしている引用発明１において、本願発明１の特定の感放射線性重合開始剤に相当する引用発明１の光重合開始剤等のその他の特定事項をそのままとして、上記周知の「アルカリ可溶性樹脂」を採用する動機付けは、何ら認められない。
　　　ｆ　そして、本願発明１においては、「（Ａ）着色剤、（Ｂ）アルカリ可溶性樹脂、（Ｃ）多官能性単量体、および（Ｄ）感放射線性重合開始剤を含有する緑色画素形成用感放射線性組成物であって、（Ａ）着色剤がＣ．Ｉ．ピグメントグリーン５８を含有するものであり、（Ｂ）アルカリ可溶性樹脂が、１個以上のカルボキシル基を有するエチレン性不飽和単量体と、該エチレン性不飽和単量体以外の共重合可能なエチレン性不飽和単量体との共重合体であり、かつ（Ｄ）感放射線性重合開始剤が、下記式（１）で表される化合物とアセトフェノン系化合物、ビイミダゾール系化合物およびＯ−アシルオキシム系化合物よりなる群から選ばれる少なくとも１種の化合物とを含有する緑色画素形成用感放射線性組成物」とすることで、本願出願当初明細書の表２にあるように着色剤として、Ｃ．Ｉ．ピグメントグリーン５８を用いた場合でも、「画素上に異物の発生がなく、パターンに欠け」が認められないとの効果を奏しているものである。
　
　　エ　本願発明１に関するまとめ
　したがって、引用例１〜３に記載された技術事項を参酌しても、上記相違点２に係る構成を引用発明に適用することは当業者が容易に想到し得たとはいえない。
　
（５）本願発明２、３について
　本願発明２、３は、いずれも直接或いは間接的に請求項１を引用し、本願発明１に更に限定を加えたものであり、一方、上記（４）での検討のように、本願発明１が引用例１〜３に記載された発明に基づいて当業者が容易に発明をすることができたとはいえないから、本願発明２、３についても、同様に引用例１〜３に記載された発明に基づいて当業者が容易に発明をすることができたとはいえない。
　
第３　まとめ
　上記「第２」での検討のように、請求項１〜３に係る発明は、いずれも引用例１〜３に記載された発明に基づいて当業者が、容易に発明をする事ができたとはいえず、本願は、原査定の拒絶の理由を検討してもその理由によって拒絶すべきものとする理由を発見しない。
　また、他に本願を拒絶すべき理由を発見しない。
　よって、結論のとおり審決する。